(57)【要約】ハウジング（２、２’）と調整ブラケット（３）とを有する、着座用家具および／またはリクライニング家具を調整するためのリフトアジャスタ（１、１’）を図示および説明する。調整ブラケット（３）はハウジング内に保持されてハウジング（２、２’）から部分的に引き出し可能である。楽な調整を可能にするために、少なくとも１つのクランプ要素（１０）を挟持位置と少なくとも１つの調整位置との間で調整ブラケット（３）に対して変位可能に設け、ハウジング（２）内への調整ブラケット（３）の摺動が防止されるように、少なくとも１つのクランプ要素（１０）は調整ブラケット（３）とハウジング（２）との間の挟持間隙（９）に挟持式に収容されることが提案される。【選択図】図２
2017502235.tif 000002
【特許請求の範囲】
【請求項１】
ハウジング（２、２’）と調整ブラケット（３）とを有する、着座用家具および／またはリクライニング家具を調整するためのリフトアジャスタ（１、１’）であって、前記調整ブラケット（３）は前記ハウジング内に保持されて前記ハウジング（２、２’）から部分的に引き出し可能である、リフトアジャスタ（１、１’）において、
少なくとも１つのクランプ要素（１０）が挟持位置と少なくとも１つの調整位置との間で前記調整ブラケット（３）に対して変位可能に設けられることと、前記ハウジング（２）内への前記調整ブラケット（３）の摺動が防止されるように、前記少なくとも１つのクランプ要素（１０）は前記調整ブラケット（３）と前記ハウジング（２）との間の挟持間隙（９）内の前記挟持位置に挟持式に収容されることとを特徴とするリフトアジャスタ（１、１’）。
【請求項２】
前記挟持間隙（９）は前記調整ブラケット（３）の引き出し方向に先細になることを特徴とする、請求項１に記載のリフトアジャスタ。
【請求項３】
前記調整ブラケット（３）は前記ハウジング（２、２’）内に収容される先細の端部（６）を備えることと、前記少なくとも１つのクランプ要素（１０）は前記調整ブラケット（３）の先細の端部と前記ハウジング（２、２’）との間の前記挟持位置に挟持されることとを特徴とする、請求項１または２に記載のリフトアジャスタ。
【請求項４】
前記少なくとも１つのクランプ要素（１０）を備えたクランプスライド（１１）が設けられることと、前記クランプスライド（１１）は前記調整ブラケット（３）に対して変位可能に、好ましくは前記調整ブラケット（３）に、保持されて前記ハウジング（２、２’）内に収容されることとを特徴とする、請求項１〜３の何れか一項に記載のリフトアジャスタ。
【請求項５】
前記調整ブラケット（３）は長方形の穴（１４）を備えることと、前記少なくとも１つのクランプ要素（１０）および／または前記クランプスライド（１１）は、前記長方形の穴（１４）に押込み式に、かつ変位可能に、係合することとを特徴とする、請求項１〜４の何れか一項に記載のリフトアジャスタ。
【請求項６】
前記調整ブラケット（３）が引き出されるときに前記クランプ要素（１０）および／または前記クランプスライド（１１）が前記調整ブラケット（３）に載って前記調整ブラケット（３）と共に前記ハウジング（２、２’）に沿って移動されるように、前記調整ブラケット（３）が引き出されるときに作用する押込み式係合が前記少なくとも１つのクランプ要素（１０）および／または前記クランプスライド（１１）の間にもたらされることを特徴とする、請求項１〜５の何れか一項に記載のリフトアジャスタ。
【請求項７】
前記調整ブラケット（３）が前記別個の連結を介して前記少なくとも１つのクランプ要素（１０）および／または前記クランプスライド（１１）に連結された状態で前記調整ブラケット（３）が終端位置から初期位置まで前記ハウジング（２、２’）内に摺動できるように、前記調整ブラケット（３）と前記少なくとも１つのクランプ要素（１０）および／または前記クランプスライド（１１）との間に別個の解除可能な連結がもたらされることを特徴とする、請求項１〜６の何れか一項に記載のリフトアジャスタ。
【請求項８】
前記別個の連結は、挟持式連結および／または掛止式連結であることを特徴とする、請求項７に記載のリフトアジャスタ。
【請求項９】
前記調整ブラケット（３）が引き出されたときに前記調整ブラケット（３）と前記少なくとも１つのクランプ要素（１０）および／または前記クランプスライド（１１）との間の前記別個の連結が前記終端位置で強制的にクローズされるように、前記クランプ要素（１０）および／または前記クランプスライド（１１）のためのエンドストップ（１９）が前記ハウジング（２、２’）に設けられることを特徴とする、請求項７または８に記載のリフトアジャスタ。
【請求項１０】
前記調整ブラケット（３）が前記初期位置まで摺動されたときに前記調整ブラケット（３）と前記クランプ要素（１０）および／または前記クランプスライド（１１）との間の前記別個の連結が強制的に解除されるように、前記ハウジング（２、２’）は、前記クランプ要素（１０）および／または前記クランプスライド（１１）のための初期ストップ（２４、２９’）を提供することを特徴とする、請求項７〜９の何れか一項に記載のリフトアジャスタ。
【請求項１１】
前記調整ブラケット（３）は少なくとも１つのピン（１５）を備えることと、前記少なくとも１つのクランプ要素（１０）および／または前記クランプスライド（１１）は少なくとも１つの連結要素（２０）を備えることと、前記別個の連結がクローズされるときに前記連結要素（２０）は前記ピン（１５）の背後で締め付ける、および／または係合する、こととを特徴とする、請求項７〜１０の何れか一項に記載のリフトアジャスタ。
【請求項１２】
前記ハウジング（２、２’）および前記調整ブラケット（３）は対応する当たり面をそれぞれ備えることと、前記対応する当たり面は、引き出し力を前記ハウジング（２、２’）に伝達するために、前記調整ブラケット（３）の終端位置において当たることとを特徴とする、請求項１〜１１の何れか一項に記載のリフトアジャスタ。
【請求項１３】
前記少なくとも１つのクランプ要素（１０）および／または前記クランプスライド（１１）は前記ハウジング（２、２’）に、少なくとも複数の部分において、摩擦係合式に当たることを特徴とする、請求項１〜１２の何れか一項に記載のリフトアジャスタ。
【請求項１４】
前記調整ブラケット（３）は前記ハウジング（２、２’）に沿って連続的に調整可能であることを特徴とする、請求項１〜１３の何れか一項に記載のリフトアジャスタ。
【請求項１５】
互いに対して調整可能な２つの構成要素を有する、好ましくは背もたれ、頭部、足部、および／または肘掛けを備えた着座用および／またはリクライニング家具において、前記２つの構成要素は請求項１〜１４の何れか一項に記載のリフトアジャスタ（１、１’）を介して互いに連結されることを特徴とする着座用および／またはリクライニング家具。
【発明の詳細な説明】
【技術分野】
【０００１】
本発明は、ハウジングと、ハウジング内に保持されてハウジングから部分的に引き出し可能な調整ブラケットとを有する、着座用家具および／またはリクライニング家具を調整するためのリフトアジャスタに関する。本発明は、リフトアジャスタを介して連結されて互いに対して調整可能な２つの構成要素を有する、好ましくは背もたれ、頭部、足部、および／または肘掛けを備えた着座用および／またはリクライニング家具に更に関する。
【背景技術】
【０００２】
使用者の快適さを向上させるために、肘掛け椅子、ソファ、寝椅子、およびベッドなどの多数の着座用およびリクライニング家具は使用者による調整が可能である。この調整可能性は、例えば、その傾斜および／または高さの調整が可能な、例えば背もたれ、頭部、足部、および／または肘掛けに関係する。所謂リフトアジャスタ自体は、相応の調整可能性を提供できることが実証されている。
【０００３】
リフトアジャスタは、ハウジングと、このハウジングから部分的に引き出し可能な調整ブラケットとを備えている。調整ブラケットは、ばね式掛止要素を担持している。調整ブラケットが引き出されるとき、掛止要素は、バネ力の結果として、この目的のためにハウジングに沿って設けられた複数の収容凹部に次々と掛合する。
【０００４】
この点において、収容凹部によって事前に決められた位置に調整ブラケットが掛合した後は調整ブラケットが再びハウジング内に摺動できないように、これら収容凹部と掛止要素とは互いに整合される。ハウジング内への摺動は、掛止要素が対応する収容凹部に押込み式に係合することによって防止される。
【０００５】
ただし、同位置からの調整ブラケットの更なる引き出しは、問題なく行える。初期位置への調整ブラケットの復帰を可能にするには、初めに調整ブラケットを終端位置までハウジングから引き出す必要がある。この点において、調整ブラケットが逆方向に摺動されるときは、ハウジングに沿って設けられたどの収容凹部にも掛止要素が係合できないように掛止要素はブロックされる。ただし、調整ブラケットがハウジングから再び引き出されるときは、掛止要素は再び有効になり、その結果、ハウジングに沿って設けられた複数の収容凹部に再び次々と掛合する。
【０００６】
公知のリフトアジャスタの調整ブラケットは、一般に、例えば背もたれ、ヘッドサポート、フットサポート、または肘掛けの形態の、調整対象の構成要素に連結され、このリフトアジャスタのハウジングは、調整対象の構成要素の調整相手となる構成要素に固着される。この点において、この構成要素は、具体的には、例えば家具のフレームまたは家具の着座部フレームなど、家具の支持要素とすることができる。調整対象の構成要素が調整される場合、すなわち、例えば、引き出されるか枢動される場合は、調整ブラケットはその一部がハウジングから引き出され、調整ブラケットの掛止要素がハウジングの収容凹部に押し込み式に係合した位置にとどまる。この位置にあるとき、調整対象の構成要素に使用者が荷重をかけても、不測の逆方向調整は起こらない。ただし、この点において、調整ブラケットの引き出し方向への更なる調整は可能であり、掛止要素は別の収容凹部に係合する。調整対象の構成要素をその初期位置に戻すには、初めに、調整ブラケットが終端位置に達するまで、調整対象の構成要素を更に調整する必要がある。この終端位置から、調整可能な構成要素をその初期位置まで逆方向に調整することによって、調整ブラケットを再びハウジング内に完全に摺動させることができる。この位置から、調整対象の構成要素の再調整、例えば枢動または引き出し、が可能である。
【０００７】
ただし、公知のリフトアジャスタには、調整ブラケットを数か所でしかロックできないという欠点がある。調整ブラケットの逆方向への摺動のために掛止要素をブロックするには、調整ブラケットを最終ロック位置から極めて長い距離引き出す必要もある。掛止要素を再び有効にして最初の収容凹部に掛止できるようにするには、調整ブラケットを最大限摺動させた位置から極めて長い距離引き出す必要がある。各終端位置と最初または最後の収容凹部との間の対応する調整経路は、解除経路とも呼ばれ、操作を容易にするために短くあるべきである。
【発明の概要】
【課題を解決するための手段】
【０００８】
したがって、本発明の基礎を成す目的は、何れの場合も調整がより楽に行えるように、導入部で言及した種類の着座用および／またはリクライニング家具、および／またはリフトアジャスタを設計および改良することである。
【０００９】
この目的は、請求項１の前提部分に記載のリフトアジャスタによって達成される。このリフトアジャスタにおいては、少なくとも１つのクランプ要素が挟持位置と少なくとも１つの調整位置との間で調整ブラケットに対して変位可能に設けられ、この少なくとも１つのクランプ要素は、ハウジング内への調整ブラケットの摺動が防止されるように、調整ブラケットとハウジングとの間の挟持間隙内の挟持位置に挟持式に収容される。
【００１０】
上記の目的は、リフトアジャスタが請求項１〜１４の何れか一項により設計された、請求項１５の前提部分に記載の着座用および／またはリクライニング家具によっても達成される。
【００１１】
したがって、本発明は、調整ブラケットとハウジングとの間の段階的掛合を省き、挟持式連結を好都合に採用できることを認識している。ただし、調整ブラケットをハウジングから引き出すときにハウジング内への調整ブラケットの不測の逆方向摺動を防止するために、少なくとも１つのクランプ要素が調整ブラケットに対して変位可能に、すなわち調整位置から挟持位置に、およびこの逆方向に、変位可能に、設けられる。これにより、少なくとも１つのクランプ要素は、調整レバーとハウジングとの間の挟持間隙に、すなわち調整ブラケットとハウジングとの間の挟持位置にこのクランプ要素が挟持式に配置されるように、到達できる。挟持間隙内へのクランプ要素のこの挟持式係合は、例えば調整ブラケットとクランプ要素との間に押し込み式係合を形成することによって、ハウジング内への調整ブラケットの逆方向摺動を防止する。
【００１２】
ただし、調整ブラケットは、この挟持位置からの更なる引き出しが可能である。この場合、クランプ要素は調整ブラケットに対して調整位置まで変位される。この位置にあるとき、クランプ要素は、調整ブラケットの更なる引き出しを妨げない。
【００１３】
クランプ要素は、基本的に、さまざまな形態を備えることができる。この点において、確実な挟持が実現されて高い挟持力の伝達が可能であるように、クランプ要素の形態が選択されることが好ましい。ただし、クランプ要素は、調整ブラケットが更に引き出される場合に挟持間隙内でのクランプ要素の挟持を容易に再び中止できるように設計される必要もある。この点において特に好適であるのは、球状または円筒状のクランプ要素である。容易な挟持を保証し、かつ調整ブラケットが更に引き出されるときに容易に挟持に打ち勝つことを保証するために、挟持間隙は、使用されるクランプ要素に適合させる必要もある。大きな挟持力を受け止められるように、調整ブラケット、ハウジング、および／またはクランプ要素は金属材料製であることが基本的に推奨される。
【００１４】
更に、１つのクランプ要素を設ければ基本的に十分であり得る。リフトアジャスタの操作時の快適さを向上するために、および必要に応じて力の伝達をより均衡化するために、複数のクランプ要素を設けることもできる。これらクランプ要素を共通の１つの挟持間隙内に設け、この挟持間隙内の挟持位置に挟持式に保持できる。ただし、特に好適なのは、複数の挟持間隙が設けられ、各挟持間隙に少なくとも１つのクランプ要素、特に厳密には１つのクランプ要素、が設けられる場合である。
【００１５】
製造入力および製造コストを同時に低く維持するには、２つのクランプ要素を設けることが特に好適である。代わりに、または加えて、２つの挟持間隙を設けると、同じ理由で好適である。均等な力の分散を保証するために、この２つの挟持間隙を調整レバーの両面とハウジングの両内面との間に形成できると好適である。
【００１６】
本発明によるリフトアジャスタでは、少なくとも１つのクランプ要素が挟持間隙内に挟持されることによってハウジング内への調整ブラケットの不測の摺動が防止されるので、リフトアジャスタの操作時の雑音が極めて小さい。従来技術の場合のように調整ブラケットがハウジングの対応する収容凹部に掛止要素が掛合するときの可聴掛止音はもはや発生しない。これにより、使用者の快適さが更に向上される。
【００１７】
リフトアジャスタの第１の好適な実施形態の場合、少なくとも１つの挟持間隙は、調整ブラケットの引き出し方向に先細になる。これにより、挟持間隙内でのクランプ要素の変位によって挟持を実現でき、クランプ要素を反対方向に変位することによって挟持を再び中止できる。
【００１８】
この点において、少なくとも１つのクランプ要素は、挟持間隙内の両位置に収容されることが好ましい。これにより、挟持間隙へのクランプ要素の導入時のクランプ要素の不測のブロックを回避できる。挟持間隙は、簡略化のために楔状に設計可能であり、互いに対して鋭角を成す平坦面を備えることができる。このことに関係なく、構造上の観点から、ハウジングの表面と調整ブラケットの表面とは、挟持間隙の２つの対向面によって形成されることが推奨される。
【００１９】
調整ブラケットが少なくとも一方の側に向かって先細になる端部を備え、その端部がハウジング内に収容される場合は、少なくとも１つの挟持間隙を簡単な方法で設けることができる。これにより、少なくとも１つの挟持間隙を設けることができる。調整ブラケットの端部が複数の、好ましくは２つの、側において、先細になる場合は、複数の、好ましくは２つの、挟持間隙の形成も可能である。この場合、少なくとも１つのクランプ要素が調整ブラケットの先細の端部の少なくとも一方の側面とハウジングの内側面との間の挟持位置に挟持されると、必要な挟持が容易に実現される。
【００２０】
調整ブラケットに対して、および／または対応する少なくとも１つの挟持間隙に対して、クランプ要素をより容易に、かつ正確に案内可能にするために、少なくとも１つのクランプ要素を保持するクランプスライドを設けることが推奨される。この点において、各クランプ要素の機能を保証するために、クランプスライドは、調整ブラケットに対して変位可能に、すなわち、挟持位置から調整位置に、およびその逆に、変位可能に設けられることが好ましい。
【００２１】
クランプスライドは、変位可能であるにも拘らず、調整ブラケット自体の表面に保持され、かつ必要であればハウジング内に収容されることが構造上の観点からも好適である。基本的に、複数のクランプスライドを設けることもできる。これらクランプスライドは、何れの場合も、少なくとも１つのクランプ要素を備え、前記クランプ要素を調整ブラケットに対して変位可能に案内する。ただし、リフトアジャスタの製造に必要な構成要素の数を制限するために、単一のクランプスライドを設けることが基本的に好ましい。この点において、クランプ要素は、クランプスライドと一体に設計可能であり、結果としてクランプスライドによって形成可能である。ただし、２部品構成の設計が好適である。クランプスライドは、クランプ要素に比べ、より小さな力を受け止めればよいので、コスト上の理由により、クランプスライドはプラスチックでほぼ形成されることが好ましい。
【００２２】
少なくとも１つのクランプ要素および／またはクランプスライドを調整ブラケットに対して変位可能に設けるために、および同時に分離不能な連結をもたらすために、調整ブラケットは長方形の穴を備えることができる。この場合、少なくとも１つのクランプ要素および／またはクランプスライドは、この長方形の穴に押し込み式に、かつ変位可能に、係合する。
【００２３】
リフトアジャスタを常時固定して不測の伸縮を防止するには、この少なくとも１つのクランプ要素を調整ブラケットに対して単に変位不能に保持するだけでは足りない。調整ブラケットがより大きな長さ増分で更に引き出されるときは、この少なくとも１つのクランプ要素を調整ブラケットと共にハウジングに沿って移動できる必要がある。したがって、少なくとも１つのクランプ要素および／またはクランプスライドを調整ブラケットと共により長い距離引き出せるようにするために、少なくとも１つのクランプ要素および／またはクランプスライドの間に押し込み式係合を形成できることが好ましい。ただし、挟持間隙に対して挟持を僅かに中止して少なくとも１つのクランプ要素を変位させるために、少なくとも１つのクランプ要素および／またはクランプスライドを伴わずに、調整ブラケットを僅かに引き出せることが好ましい。
【００２４】
調整ブラケットをハウジングから正常に引き出した後に調整ブラケットをハウジング内に逆摺動可能にするために、少なくとも１つのクランプ要素が挟持間隙内に挟持式に係合されない、調整ブラケット上の位置に少なくとも１つのクランプ要素および／またはクランプスライドが固定されるようにすることができる。この目的のために、調整ブラケットと少なくとも１つのクランプ要素および／またはクランプスライドとの間の別の解除可能な連結が役立つ。
【００２５】
この場合、調整ブラケットは、少なくとも１つのクランプ要素および／またはクランプスライドとの別個の連結によって連結された状態で、終端位置からハウジング内に、例えば少なくとも初期位置に、摺動可能であることが好ましい。この連結が別個の連結と称される理由は、少なくとも１つのクランプ要素および／またはクランプスライドは、別の連結によって調整ブラケットの表面に依然として変位可能に保持されているからである。
【００２６】
この別個の連結は、調整ブラケットが逆方向に摺動されるときにのみクローズされる、例えば、終端位置まで引き出された調整ブラケットが初期位置まで摺動されたときにのみクローズされる、解除可能な連結である必要があるので、簡素化のために挟持式連結および／または掛止式連結が別個の連結として可能である。
【００２７】
調整ブラケットが引き出されたときに終端位置で調整ブラケットと少なくとも１つのクランプ要素および／またはクランプスライドとの間の別個の連結を強制的にクローズさせるために、ハウジングはクランプ要素および／またはクランプスライドのためのエンドストップを提供できる。これにより、少なくとも１つのクランプ要素および／またはクランプスライドの更なる変位が妨げられているとき、必要であれば、調整ブラケットを更に引き出し方向に変位させることができる。これにより、一方の少なくとも１つのクランプ要素および／またはクランプスライドと、他方の調整ブラケットとの間にもたらされる相対移動は、使用者による更なる操作なしに、別個の連結を強制的にクローズするために使用可能である。
【００２８】
したがって、少なくとも１つのクランプ要素および／またはクランプスライドが、好ましくはエンドストップによって、調整ブラケットの引き出し方向に固定されているとき、調整ブラケットを更に僅かに引き出すことができる。したがって、必要に応じて設けられた、ハウジングと調整ブラケットとの間のエンドストップは、調整ブラケットが更に僅かに引き出されたときにのみ機能する。ハウジングと調整ブラケットの分離を回避するために、ハウジングと調整ブラケットとの間のエンドストップは、調整ブラケットがハウジングから完全に引き出されないことを保証する。少なくとも１つのクランプ要素および／またはクランプスライドのためのエンドストップに到達してから調整ブラケットのエンドストップまでの調整ブラケットの調整経路（解除経路）は、使用者によるリフトアジャスタの操作を楽にするべく、極めて短くなるべく選択可能である。
【００２９】
調整ブラケットが初期位置まで摺動されたときに調整ブラケットとクランプ要素および／またはクランプスライドとの間の別個の連結の強制解除を可能にするために、ハウジングは、代わりに、または加えて、クランプ要素および／またはクランプスライドのための初期ストップを提供することができる。これにより、少なくとも１つのクランプ要素および／またはクランプスライドが初期ストップに当たった後、調整ブラケットがハウジング内で別の終端位置に向けて初期位置の方向に更に僅かに摺動されたときに、それにより一方の少なくとも１つのクランプ要素および／またはクランプスライドと、他方の調整ブラケットとの間にもたらされる相対移動は、少なくとも１つのクランプ要素および／またはクランプスライドと調整ブラケットとの間の別個の連結を再び解除するために使用可能である。初期ストップがハウジング内への少なくとも１つのクランプ要素および／またはクランプスライドの移動を制限しているとき、調整ブラケットをハウジング内に更に僅かに摺動させることができる。その後にハウジング内への調整ブラケットの最大摺動距離を制限するのは、調整ブラケットとハウジングとの間に必要に応じて設けられた初期ストップのみである。代わりに、少なくとも１つの挟持間隙内に調整ブラケットに対して再び変位可能に保持されている少なくとも１つのクランプ要素を調整ブラケットの初期ストップの方向にロックすることによってハウジング内への最大摺動距離を制限することもできる。少なくとも１つのクランプ要素および／またはクランプスライドの初期ストップに達してから調整ブラケットの初期ストップまでの調整ブラケットの調整経路（解除経路）は、使用者によるリフトアジャスタの操作を楽にするべく極めて短くするべく選択可能である。
【００３０】
調整ブラケットが少なくとも１つのピン等を備える場合は、調整ブラケットと少なくとも１つのクランプ要素および／またはクランプスライドとの間の別個の連結を構造的に単純かつ確実にもたらすことができる。この場合、少なくとも１つのクランプ要素および／またはクランプスライドは、別個の連結がクローズされた場合にピンまたは匹敵する連結要素の背後で係合する、および／または締め付ける、少なくとも１つの連結要素を、代わりに、または加えて、備えることができる。この場合、調整ブラケットの少なくとも１つのピンは、少なくとも１つのクランプ要素および／またはクランプスライドの凹部に収容可能である。代わりに、少なくとも１つのクランプ要素および／またはクランプスライドに少なくとも１つのピンを設けることも勿論可能である。この場合、前記ピンは調整ブラケットの少なくとも１つの連結要素と協働、ひいては連結、可能である。何れの場合も、対応する連結は、力式および／または押し込み式係合を形成することが好ましい。少なくとも押し込み式係合の場合は、掛止式連結が特に推奨される。
【００３１】
基本的に、ハウジングおよび調整ブラケットは、ハウジングと少なくとも１つのクランプ要素および／またはクランプスライドとの間に、エンドストップとは独立に、対応する当たり面をそれぞれ備えることもできる。これら当たり面が互いに当たっているときに調整ブラケットの終端位置において引き出し力を安全に偏向させてハウジングに伝達するために、これら対応する当たり面はエンドストップを形成することができる。したがって、調整ブラケットとハウジングが分離されるまで調整ブラケットがハウジングから引き出されることが回避される。
【００３２】
挟持位置と調整位置との間における、一方の調整ブラケットと、他方の少なくとも１つのクランプ要素および／またはクランプスライドとの間の相対変位を構造的に単純な方法で保証するために、少なくとも１つのクランプ要素および／またはクランプスライドは、ハウジングの少なくとも複数の部分に摩擦係合式に当たることができる。したがって、調整ブラケットが挟持位置からハウジングの外に更に引き出されるとき、例えば、少なくとも１つのクランプ要素および／またはクランプスライドはハウジングに対する位置を初期において維持することができる。一方の少なくとも１つのクランプ要素および／またはクランプスライドと、他方の調整ブラケットとの間の対応する相対移動によって、クランプ要素は挟持間隙内に挟持式に保持されなくなる。
【００３３】
この場合、調整ブラケットがハウジングに対して更に調整されるとき、例えば、調整ブラケットと少なくとも１つのクランプ要素および／またはクランプスライドとの間の押し込み式連結により、少なくとも１つのクランプ要素および／またはクランプスライドをハウジングに沿って変位させることができる。この場合、調整ブラケットは、別の位置において、クランプ要素が再び挟持間隙内の挟持位置に達してハウジング内への調整ブラケットの更なる摺動を防ぐ前に、極めて短距離だけハウジング内に再摺動可能である。必要であれば、調整ブラケットが調整されているときに、少なくとも１つのクランプ要素および／またはクランプスライドをハウジングに引き続き当てておくことができる。この場合、少なくとも１つのクランプ要素および／またはクランプスライドが調整されているとき、すなわち調整ブラケットと少なくとも１つのクランプ要素および／またはクランプスライドとの間の押し込み式連結の結果として、対応する静止摩擦に打ち勝つ。
【００３４】
リフトアジャスタの特に好適な一実施形態においては、ハウジングに沿って少なくともほぼ連続的に複数の領域において調整ブラケットを調整できるようになっている。したがって、ハウジング内の対応する挟持力によって調整ブラケットを固定できるので、ハウジング内への調整ブラケットの摺動を調整経路の広範な部分にわたって防止できる。
【００３５】
すなわち、公知のリフトアジャスタとは異なり、特定の収容凹部の領域だけではなく、好ましくはハウジングの各箇所の領域においても、挟持をもたらすことができる。
【００３６】
以下においては、例示的実施形態のみを示している図面によって本発明を更に説明する。
【図面の簡単な説明】
【００３７】
【図１】本発明による第１のリフトアジャスタを斜視図で示す。
【図２】部分的に引き出された位置にある図１のリフトアジャスタをＩＩＡ−ＩＩＡ線およびＩＩＢ−ＩＩＢ線に沿った断面図で示す。
【図３】ほぼ完全に引き出された位置にある図１のリフトアジャスタを長手方向断面図で示す。
【図４】終端位置まで引き出された図１のリフトアジャスタを長手方向断面図で示す。
【図５】本発明による第２のリフトアジャスタを上面図で示す。
【図６】ハウジング内にほぼ完全に摺動させた位置にある図５のリフトアジャスタを長手方向断面図で示す。
【図７】初期位置までハウジング内に摺動させた図５のリフトアジャスタを長手方向断面図で示す。
【発明を実施するための形態】
【００３８】
図１には、リフトアジャスタ１が斜視図で示されている。リフトアジャスタ１は、ハウジング２と、ハウジング２から部分的に引き出される調整ブラケット３とを備える。
【００３９】
ハウジング２の後端部および調整ブラケット３の前端部には、何れの場合も、貫通開口部４が設けられる。これら開口部４を用いて、リフトアジャスタ１を着座用および／またはリクライニング家具の複数の異なる構成要素に取り付けることができる。この点において、調整ブラケット３は家具の調整可能な構成要素に取り付けられることが好ましく、ハウジング２は家具の調整不能な構成要素または独立に調整可能な構成要素に取り付けられることが好ましい。ソファの場合、例えば、調整ブラケット３は旋回可能な肘掛けに取り付け可能であり、ハウジング２はソファのフレーム要素に、またはシートのフレームに、固着される。ベッドの場合は、頭部を調整ブラケット３に連結でき、ハウジング２はベッドフレームまたはベッド構造に固着される。
【００４０】
この点において好適な図示のリフトアジャスタ１の場合、調整ブラケット３はオフセットされた外側端部５を備え、この端部に開口部４が設けられる。調整ブラケット３の残りの部分は、ほぼ条片状に設計されるが、例えばロッド形状に設計することも可能である。この点において好適な図示のリフトアジャスタの場合、ハウジング２は直角断面を有するが、正方形または別形状の断面を有することも可能である。ハウジング２は、汚れに対する保護のためにほぼ密閉されるが、これは必須ではない。
【００４１】
図２Ａおよび図２Ｂには、部分的に引き出された位置にあるリフトアジャスタ１が互いに垂直な２つの断面図で示されている。調整ブラケット３は先細の内側端部６を備えることが分かる。したがって、この内側端部６は、２つの外面７を調整ブラケット３の狭まった２つの側面に形成する。前記２つの外面は、ハウジング２の対向する内側面８に対して斜めに延在する。この点において好適な図示のリフトアジャスタの場合、ハウジング２の両内側面８は互いに対して平行に、かつ調整ブラケット３の引き出し方向に平行に、延在する。したがって、調整ブラケット３の斜めに延びる各面７とハウジング２の対向する内側面８との間に挟持間隙９が形成され、これら挟持間隙にクランプ要素１０がそれぞれ収容される。この点において好適な図示のリフトアジャスタ１の場合、挟持間隙９を形成する各面７は平らに設計され、各クランプ要素１０は円筒形状を有する。各クランプ要素１０は、その湾曲した周囲全体が調整ブラケット３とハウジング２との間に挟持される。
【００４２】
調整ブラケット３が図２Ａに示されている位置からハウジング２に押し込まれた場合、調整ブラケット３の対応する移動は、調整ブラケット３の両側に設けられた挟持間隙９にクランプ要素１０が食い込むことによって阻止される。この点において、大きな力が加わっても調整ブラケット３がハウジング２内に摺動できないように、各クランプ要素１０は大きなクランプ力を受け止めることができる。
【００４３】
各クランプ要素１０はクランプスライド１１内に保持される。クランプスライド１１は調整ブラケット３の表面に保持される。この点において好適な図示のリフトアジャスタ１のクランプスライド１１は、２つの部品で形成され、調整ブラケット３の下端部を取り囲む。クランプスライド１１の２つの部分の各々は、フィンガ１３を備える。フィンガ１３は、調整ブラケット３の長方形の穴１４に係合する。
【００４４】
これにより、クランプスライド１１は、調整ブラケット３に対して変位可能に取り付けられる。ただし、調整ブラケット３に対するクランプスライド１１の変位可能度は、一方向においては挟持間隙９内でのクランプ要素１０の挟持によって制限され、他方向においては調整ブラケット３、特に調整ブラケットのピン、との押込み式係合によって制限される。
【００４５】
クランプスライド１１は、その両側に摩擦ブラケット１６を備える。各摩擦ブラケット１６はハウジング２の内側面８に当たり、各クランプ要素１０と協働する。
【００４６】
これにより引き起こされる静止摩擦は、クランプスライド１１がその位置を維持するために傾斜することを保証する。ただし、クランプスライド１１が調整ブラケット３に確実に当たっていても、調整ブラケット３をハウジング２内に摺動させるとき、またはハウジング２から引き出すときは、静止摩擦に打ち勝つ十分な力がクランプスライド１１に加わるので、クランプスライド１１は、調整ブラケット３と共に、ハウジング２内で変位される。調整ブラケット３の複数の側方突起１７とハウジング２とは、引き出し方向への当たり面をそれぞれ形成する。これらは一緒に調整ブラケット３のためのエンドストップ１８を形成し、ハウジング２からの調整ブラケット３の更なる引き出しを防止する。
【００４７】
調整ブラケット３が図２Ａに示されている位置から更に引き出されると、リフトアジャスタ１は図３に示されている位置に達する。この位置において、調整ブラケットはハウジングのほぼ終端位置までハウジング２から引き出されている。その結果、調整ブラケット３のピン１５に当たっているクランプスライド１１は、クランプスライド１１のためのエンドストップ１９まで変位されている。このエンドストップ１９は、調整ブラケット３の引き出し方向へのクランプスライド１１の更なる変位を制限する。その後、調整ブラケットが更にハウジングから引き出されてハウジング２に対してそのエンドストップ１８に達すると、調整ブラケット３の各ピン１５は摺動してクランプスライド１１のブラケット形状の各連結要素２０を通り過ぎる。その後、各連結要素２０はピンの背後で係合し、ひいては調整ブラケット３とクランプスライド１１との間に別個の連結を形成する。この点において、各ピン１５は、クランプスライド１１の対応する収容凹部２１に収容される。これは、特に図４に示されている。このとき、クランプスライド１１は、調整ブラケット３に連結された位置にある。この位置において、各クランプ要素１０は挟持間隙９内に到達できないので挟持されない。したがって、大きな力の入力なしに、調整ブラケット３をハウジング２内に摺動させることができる。
【００４８】
クランプスライド１１と調整ブラケット３との間の別個の連結を再び解除するには、調整ブラケット３を初期位置までハウジング２内に摺動させる必要がある。これは、この点において好適な図示のリフトアジャスタ１においては、調整ブラケット３の各ピン１５がハウジング２の基部２２に係合し、そこで対応する収容凹部２３の当たり面に当接することよって実現される。ただし、調整ブラケット３がこの初期位置に達する前に、クランプスライド１１は、クランプスライド１１のための初期ストップ２４を形成するハウジング２の基部に当接する。クランプスライド１１がこの位置に保持されているとき、調整ブラケット３を調整ブラケット３のための初期ストップ２５まで更に摺動させることができる。この点において、調整ブラケット３の各ピン１５はクランプスライド１１の連結要素２０の先まで押し込まれるので、調整ブラケット３とクランプスライド１１との間の押し込み式掛止連結が解除される。これにより、調整ブラケットの各ピン１５は、クランプスライド１１の対応する収容凹部２１にもはや収容されない。したがって、調整ブラケット３を再び部分的に引き出すことができる。この点において、調整ブラケット３は、対応する位置において、ハウジング２内への調整ブラケット３の再摺動を妨げるために、クランプスライド１１を担持できる。調整ブラケット３をハウジング２内に再度摺動させて初期位置に到達させるには、上記のように、クランプスライド１１を別個の掛止式連結によって調整ブラケット３に固定するために、調整ブラケット３を初めに終端位置までもう一度引き出す必要がある。
【００４９】
ハウジング２内への調整ブラケット３の摺動は、調整ブラケット３と収容凹部２３との間の初期ストップの代わりに、調整ブラケット３の側方突起１７と基部２２とによって制限することも、または、調整ブラケット３とクランプスライド１１との間の別個の連結の解除後に各クランプ要素１０を各挟持間隙９内にロックすることによって制限することもできる。
【００５０】
一代替リフトアジャスタ１’が図５に示されている。リフトアジャスタ１’は、基部２６’のデザインのみが図１〜４のリフトアジャスタ１と異なる。
【００５１】
図５に示されているリフトアジャスタ１’のハウジング２’の基部２６’は、図６に長手方向断面で示されている。基部２６’の領域では、ハウジング２’の２つの端縁要素２７’が内方に押し込まれて、引き出し方向に向いた当たり面２８’をもたらす。各当たり面２８’は、クランプスライド１１’のための初期ストップ２９’を形成する。内方に押し込まれるハウジング２’の端縁要素２７’の代わりに、別のストップ要素によって当たり面２８’を設けることもできる。
【００５２】
上記の別個の連結を介してクランプスライド１１に連結された調整ブラケット３をその初期位置に向けてハウジング２’内に摺動させると、クランプスライド１１は当たり面２８’によって決められた初期ストップ２９’に最初に達する。クランプスライド１１がこの位置に保持されているとき、調整ブラケット３を更に摺動させることができる。初期ストップ２９’に既に当たっているクランプスライド１１と調整ブラケット３との間の相対移動によって、調整ブラケット３の各ピン１５はクランプスライド１１の連結要素２０の先まで押されて収容凹部２１を出るため、この点において、クランプスライド１１と調整ブラケット３との間の別個の連結が解除される。それにも拘わらず、一方では、調整ブラケット３を再度引き出せるように、他方では、各クランプ要素１０がハウジング内への調整ブラケット３の不測の逆方向摺動を引き続き防止するように、クランプスライド１１は引き続き調整ブラケット３上に保持され、調整ブラケット３に対して更に変位可能である。調整ブラケット３の初期ストップは、クランプ要素によって形成される。
【００５３】
クランプスライド１１と調整ブラケット３との間の別個の連結が解除された後、調整ブラケットがハウジング２’内に更に摺動されると、ハウジング２’と調整ブラケット３との間の挟持間隙９にクランプ要素１０がより深く入り込んで挟持間隙９内に挟持されるので、調整ブラケット３の更なる摺動が防止される。
【図１】
2017502235.tif 000003
【図２】
2017502235.tif 000004
【図３】
2017502235.tif 000005
【図４】
2017502235.tif 000006
【図５】
2017502235.tif 000007
【図６】
2017502235.tif 000008
【図７】
2017502235.tif 000009
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
ハウジング（２、２’）と調整ブラケット（３）とを有する、着座用家具および／またはリクライニング家具を調整するためのリフトアジャスタ（１、１’）であって、前記調整ブラケット（３）は前記ハウジング内に保持されて前記ハウジング（２、２’）から部分的に引き出し可能であり、
少なくとも１つのクランプ要素（１０）が挟持位置と少なくとも１つの調整位置との間で前記調整ブラケット（３）に対して変位可能に設けられ、前記ハウジング（２）内への前記調整ブラケット（３）の摺動が防止されるように、前記少なくとも１つのクランプ要素（１０）は前記調整ブラケット（３）と前記ハウジング（２）との間の挟持間隙（９）内の前記挟持位置に挟持式に収容されるリフトアジャスタ（１、１’）において、
前記調整ブラケット（３）と前記少なくとも１つのクランプ要素（１０）および／または前記クランプスライド（１１）との間の別個の解除可能な連結がもたらされ、前記別個の連結によって前記少なくとも１つのクランプ要素（１０）および／または前記クランプスライド（１１）と連結された状態で、前記調整ブラケット（３）が終端位置から前記ハウジング（２、２’）内の初期位置まで摺動可能であるようになっていることと、前記調整ブラケット（３）が引き出されたときに前記調整ブラケット（３）と前記少なくとも１つのクランプ要素（１０）および／または前記クランプスライド（１１）との間の前記別個の連結が前記終端位置において強制的にクローズされるように、前記クランプ要素（１０）および／または前記クランプスライド（１１）のためのエンドストップ（１９）が前記ハウジング（２、２’）に設けられることとを特徴とするリフトアジャスタ（１、１’）。
【請求項２】
前記挟持間隙（９）は前記調整ブラケット（３）の引き出し方向に先細になることを特徴とする、請求項１に記載のリフトアジャスタ。
【請求項３】
前記調整ブラケット（３）は前記ハウジング（２、２’）内に収容される先細の端部（６）を備えることと、前記少なくとも１つのクランプ要素（１０）は前記調整ブラケット（３）の先細の端部と前記ハウジング（２、２’）との間の前記挟持位置に挟持されることとを特徴とする、請求項１または２に記載のリフトアジャスタ。
【請求項４】
前記少なくとも１つのクランプ要素（１０）を備えたクランプスライド（１１）が設けられることと、前記クランプスライド（１１）は前記調整ブラケット（３）に対して変位可能に、好ましくは前記調整ブラケット（３）に、保持されて前記ハウジング（２、２’）内に収容されることとを特徴とする、請求項１〜３の何れか一項に記載のリフトアジャスタ。
【請求項５】
前記調整ブラケット（３）は長方形の穴（１４）を備えることと、前記少なくとも１つのクランプ要素（１０）および／または前記クランプスライド（１１）は、前記長方形の穴（１４）に押込み式に、かつ変位可能に、係合することとを特徴とする、請求項１〜４の何れか一項に記載のリフトアジャスタ。
【請求項６】
前記調整ブラケット（３）が引き出されるときに前記クランプ要素（１０）および／または前記クランプスライド（１１）が前記調整ブラケット（３）に載って前記調整ブラケット（３）と共に前記ハウジング（２、２’）に沿って移動されるように、前記調整ブラケット（３）が引き出されるときに作用する押込み式係合が前記少なくとも１つのクランプ要素（１０）および／または前記クランプスライド（１１）の間にもたらされることを特徴とする、請求項１〜５の何れか一項に記載のリフトアジャスタ。
【請求項７】
前記別個の連結は、挟持式連結および／または掛止式連結であることを特徴とする、請求項１〜６の何れか一項に記載のリフトアジャスタ。
【請求項８】
前記調整ブラケット（３）が前記初期位置まで摺動されたときに前記調整ブラケット（３）と前記クランプ要素（１０）および／または前記クランプスライド（１１）との間の前記別個の連結が強制的に解除されるように、前記ハウジング（２、２’）は、前記クランプ要素（１０）および／または前記クランプスライド（１１）のための初期ストップ（２４、２９’）を提供することを特徴とする、請求項１〜７の何れか一項に記載のリフトアジャスタ。
【請求項９】
前記調整ブラケット（３）は少なくとも１つのピン（１５）を備えることと、前記少なくとも１つのクランプ要素（１０）および／または前記クランプスライド（１１）は少なくとも１つの連結要素（２０）を備えることと、前記別個の連結がクローズされるときに前記連結要素（２０）は前記ピン（１５）の背後で締め付ける、および／または係合する、こととを特徴とする、請求項１〜８の何れか一項に記載のリフトアジャスタ。
【請求項１０】
前記ハウジング（２、２’）および前記調整ブラケット（３）は対応する当たり面をそれぞれ備えることと、前記対応する当たり面は、引き出し力を前記ハウジング（２、２’）に伝達するために、前記調整ブラケット（３）の終端位置において接触することとを特徴とする、請求項１〜９の何れか一項に記載のリフトアジャスタ。
【請求項１１】
前記少なくとも１つのクランプ要素（１０）および／または前記クランプスライド（１１）は前記ハウジング（２、２’）に、少なくとも複数の部分において、摩擦係合式に当たることを特徴とする、請求項１〜１０の何れか一項に記載のリフトアジャスタ。
【請求項１２】
前記調整ブラケット（３）は前記ハウジング（２、２’）に沿って連続的に調整可能であることを特徴とする、請求項１〜１１の何れか一項に記載のリフトアジャスタ。
【請求項１３】
互いに対して調整可能な２つの構成要素を有する、好ましくは背もたれ、頭部、足部、および／または肘掛けを備えた着座用および／またはリクライニング家具において、前記２つの構成要素は請求項１〜１２の何れか一項に記載のリフトアジャスタ（１、１’）を介して互いに連結されることを特徴とする着座用および／またはリクライニング家具。
【国際調査報告】
2017502235.tif 000010
2017502235.tif 000011
2017502235.tif 000012
2017502235.tif 000013